(57)【要約】      （修正有）【課題】アマチュアやプロの画家が風景画などを創作するに際して必要な情報や宿泊・滞在施設を容易かつ安価に提供できる、風景画創作支援システム及び創作支援方法並びに創作支援プログラムを提供する。【解決手段】創作支援システム１００は、別荘管理サーバ２００、情報提供サーバ３００、検索クライアント４００、管理者クライアント５００がＬＡＮやインターネット等のネットワークＮで相互に情報通信可能に接続される。風景画または風景写真とそれらが創作された場所の位置情報とその近くにある空き別荘に関する情報をリンクして提供する。【選択図】図１
2017134714.tif 000002
【特許請求の範囲】
【請求項１】
ネットワークを介して相互に通信可能な情報提供サーバと検索クライアントとを備えたネットワーク通信システムであって、
前記情報提供サーバは、多数の風景画または風景写真の画像データとその位置情報が記憶された風景画データベースと、多数の別荘とその位置情報ならびにその空き情報が記憶された別荘データベースと、前記クライアントの要求に応じて前記風景画データベースに記憶された風景画または風景写真を検索し、検索した風景画または風景写真の画像データおよびその位置情報を、その近傍にある別荘に関する情報およびその空き情報と共に提供する情報提供手段とを有し、
前記検索クライアントは、前記風景画データベースに記憶された風景画または風景写真の中から所望の風景画または風景写真を検索する風景画検索手段と、前記情報提供サーバから送られてきた各情報を表示する情報表示手段とを備えたことを特徴とする風景画創作支援システム。
【請求項２】
請求項１に記載の風景画創作支援システムにおいて、
前記検索クライアントの風景画検索手段は、検索する風景画または風景写真を作者別または地域別あるいは創作年または発表年別その他の区別ごとに検索可能であり、
前記検索クライアントの情報表示手段は、前記風景画検索手段で検索された風景画または風景写真が複数あるときは各風景画または風景写真の画像データをサムネイル形式で一覧表示することを特徴とする風景画創作支援システム。
【請求項３】
請求項２に記載の風景画創作支援システムにおいて、
前記検索クライアントの情報表示手段は、サムネイル形式で一覧表示されたサムネイル画像のいずれかが選択されたときは、そのサムネイル画像に対応する風景画または風景写真を表示すると共にその位置情報に基づいてその近くにある別荘を表示することを特徴とする風景画創作支援システム。
【請求項４】
請求項２に記載の風景画創作支援システムにおいて、
前記検索クライアントの情報表示手段は、サムネイル形式で一覧表示されたサムネイル画像のいずれかが選択されたときは、そのサムネイル画像に対応する風景画または風景写真の位置情報に基づいてその近くにある別荘の位置を地図上に表示することを特徴とする風景画創作支援システム。
【請求項５】
請求項４に記載の風景画創作支援システムにおいて、
前記検索クライアントの情報表示手段は、地図上に表示された別荘のうちいずれかが選択されたときは、その別荘に関する情報を表示することを特徴とする風景画創作支援システム。
【請求項６】
請求項１乃至５のいずれかに記載の風景画創作支援システムにおいて、
前記検索クライアントは、検索した風景画または風景写真の画像データと共に送信された別荘の空き情報に基づいて別荘を利用予約する別荘予約手段を有し、
前記情報提供サーバは、前記別荘予約手段による別荘の利用予約に基づいて前記別荘データベースの空き情報を更新するデータベース更新手段を備えたことを特徴とする風景画創作支援システム。
【請求項７】
請求項６に記載の風景画創作支援システムにおいて、
別荘の管理情報を提供する別荘管理サーバを有し、
前記情報管理サーバのデータベース更新手段は、前記別荘管理サーバの管理情報に基づいて前記別荘データベースの情報を更新すると共に、前記別荘予約手段による利用予約情報を前記別荘管理サーバに送信することを特徴とする風景画創作支援システム。
【請求項８】
ネットワークを介して相互に通信可能な情報提供サーバと検索クライアントとを用いた風景画創作支援方法であって、
前記情報提供サーバは、多数の風景画または風景写真の画像データとその位置情報を記憶する風景画情報記憶ステップと、多数の別荘とその位置情報ならびにその空き情報を記憶する別荘情報記憶ステップと、前記クライアントの要求に応じて前記風景画データベースに記憶された風景画または風景写真を検索し、検索した風景画または風景写真の画像データおよびその位置情報を、その近傍にある別荘に関する情報およびその空き情報と共に提供する情報提供ステップとを含み、
前記検索クライアントは、前記風景画データベースに記憶された風景画または風景写真の中から所望の風景画または風景写真を検索する風景画検索ステップと、前記情報提供サーバから送られてきた各情報を表示する情報表示ステップとを含むことを特徴とする風景画創作支援方法。
【請求項９】
請求項８に記載の風景画創作支援方法において、
前記検索クライアントの風景画検索ステップでは、検索する風景画または風景写真を作者別または地域別あるいは創作年または発表年別その他の区別ごとに検索可能であり、
前記検索クライアントの情報表示ステップでは、前記風景画検索ステップで検索された風景画または風景写真が複数あるときは各風景画または風景写真の画像データをサムネイル形式で一覧表示することを特徴とする風景画創作支援方法。
【請求項１０】
請求項９に記載の風景画創作支援方法において、
前記検索クライアントの情報表示ステップは、サムネイル形式で一覧表示されたサムネイル画像のいずれかが選択されたときは、そのサムネイル画像に対応する風景画または風景写真を表示すると共にその位置情報に基づいてその近くにある別荘を表示することを特徴とする風景画創作支援方法。
【請求項１１】
請求項９に記載の風景画創作支援方法において、
前記検索クライアントの情報表示ステップは、サムネイル形式で一覧表示されたサムネイル画像のいずれかが選択されたときは、そのサムネイル画像に対応する風景画または風景写真の位置情報に基づいてその近くにある別荘の位置を地図上に表示することを特徴とする風景画創作支援方法。
【請求項１２】
請求項１１に記載の風景画創作支援方法において、
前記検索クライアントの情報表示ステップは、地図上に表示された別荘のうちいずれかが選択されたときは、その別荘に関する情報を表示することを特徴とする風景画創作支援方法。
【請求項１３】
請求項８乃至１２のいずれかに記載の風景画創作支援方法において、
前記検索クライアントは、検索した風景画または風景写真の画像データと共に送信された別荘の空き情報に基づいて別荘を利用予約する別荘予約ステップを含み、
前記情報提供サーバは、前記別荘予約ステップによる別荘の利用予約に基づいて前記別荘データベースの空き情報を更新するデータベース更新ステップを含むことを特徴とする風景画創作支援方法。
【請求項１４】
請求項１３に記載の風景画創作支援方法において、
別荘の管理情報を提供する別荘管理サーバを有し、
前記情報管理サーバのデータベース更新ステップは、前記別荘管理サーバの管理情報に基づいて前記別荘データベースの情報を更新すると共に、前記別荘予約ステップによる利用予約情報を前記別荘管理サーバに送信することを特徴とする風景画創作支援方法。
【請求項１５】
ネットワークを介して相互に通信可能な情報提供サーバと検索クライアントとを備えたネットワーク通信システムで用いるプログラムであって、
前記情報提供サーバのコンピュータを、多数の風景画または風景写真の画像データとその位置情報が記憶された風景画データベースと、多数の別荘とその位置情報ならびにその空き情報が記憶された別荘データベースと、前記クライアントの要求に応じて前記風景画データベースに記憶された風景画または風景写真を検索し、検索した風景画または風景写真の画像データおよびその位置情報を、その近傍にある別荘に関する情報およびその空き情報と共に提供する情報提供手段として機能させ、
前記検索クライアントのコンピュータを、前記風景画データベースに記憶された風景画または風景写真の中から所望の風景画または風景写真を検索する風景画検索手段と、前記情報提供サーバから送られてきた各情報を表示する情報表示手段として機能させることを特徴とする風景画創作支援プログラム。
【請求項１６】
請求項１５に記載の風景画創作支援プログラムにおいて、
前記検索クライアントの風景画検索手段は、検索する風景画または風景写真を作者別または地域別あるいは創作年または発表年別その他の区別ごとに検索可能であり、
前記検索クライアントの情報表示手段は、前記風景画検索手段で検索された風景画または風景写真が複数あるときは各風景画または風景写真の画像データをサムネイル形式で一覧表示することを特徴とする風景画創作支援プログラム。
【請求項１７】
請求項１６に記載の風景画創作支援プログラムにおいて、
前記検索クライアントの情報表示手段は、サムネイル形式で一覧表示されたサムネイル画像のいずれかが選択されたときは、そのサムネイル画像に対応する風景画または風景写真を表示すると共にその位置情報に基づいてその近くにある別荘を表示することを特徴とする風景画創作支援プログラム。
【請求項１８】
請求項１６に記載の風景画創作支援プログラムにおいて、
前記検索クライアントの情報表示手段は、サムネイル形式で一覧表示されたサムネイル画像のいずれかが選択されたときは、そのサムネイル画像に対応する風景画または風景写真の位置情報に基づいてその近くにある別荘の位置を地図上に表示することを特徴とする風景画創作支援プログラム。
【請求項１９】
請求項１８に記載の風景画創作支援プログラムにおいて、
前記検索クライアントの情報表示手段は、地図上に表示された別荘のうちいずれかが選択されたときは、その別荘に関する情報を表示することを特徴とする風景画創作支援プログラム。
【請求項２０】
請求項１５乃至２０のいずれかに記載の風景画創作支援プログラムにおいて、
前記検索クライアントは、検索した風景画または風景写真の画像データと共に送信された別荘の空き情報に基づいて別荘を利用予約する別荘予約手段を有し、
前記情報提供サーバは、前記別荘予約手段による別荘の利用予約に基づいて前記別荘データベースの空き情報を更新するデータベース更新手段を備えたことを特徴とする風景画創作支援プログラム。
【請求項２１】
請求項２０に記載の風景画創作支援プログラムにおいて、
前記情報管理サーバのデータベース更新手段は、別荘の管理情報を提供する別荘管理サーバの管理情報に基づいて前記別荘データベースの情報を更新すると共に、前記別荘予約手段による利用予約情報を前記別荘管理サーバに送信することを特徴とする風景画創作支援プログラム。
【発明の詳細な説明】
【技術分野】
【０００１】
本発明は、アマチュアまたはプロの画家や写真家などが所望の風景画を創作または写真撮影する際に役立つ各種情報を提供してその作品の創作を支援するためのシステムおよび創作支援方法ならびに創作支援プログラムに関するものである。
【背景技術】
【０００２】
一般に、アマチュアまたはプロの画家や写真家などが所望の風景画を創作または写真撮影するに際しては、各種文献や知人、個人的情報などから候補地を選定し、実際にその場所に赴いてその地に数日間乃至数週間滞在して創作作業を行うことになる。このような創作活動にあたっては同時に宿泊施設の選定も必要となるが、その候補地の近場に適当な宿泊施設がない場合もある。
【０００３】
このような課題に関連する技術として従来では例えば以下の特許文献１などのようにホームページに宿泊施設の空き室などの空き情報を掲載したり、以下の特許文献２のようにインターネットサービス会社に自動発信し、メモリに記録されているホテル・旅館や各種施設などの空き情報をインターネットサービス会社を経由して自由に転送したり書き換え、更新するなどの技術が提案されている。
【先行技術文献】
【特許文献】
【０００４】
【特許文献１】特開平９−２１２５６１号公報
【特許文献２】特開２００１−１０９６８８号公報
【発明の概要】
【発明が解決しようとする課題】
【０００５】
ところで、アマチュアやプロの画家が風景画を創作するに際しては、先人の名画や私淑する画家の作品と同じ構図またはそれを参考にした風景画を創作したいという欲求が少なくない。これは写真家の場合も同じである。このような欲求を満たすためには、実際にその風景画が描かれた場所や撮影場所に赴くことが望ましいが、個人でその場所（地理的情報）を具体的に特定するのは容易でない。また、その場所が判明し、その近場のホテルや民宿などの宿泊施設を見つけたとしても数日間乃至数週間に亘ってそれらの民間の宿泊施設に滞在すると費用も高額となる。
【０００６】
一方、日本全国の観光地などには多くの別荘が点在しているが、その管理や維持には多くの費用が掛かる。また、シーズンオフになると空き別荘が増えるため、空き巣や不法滞在などの事件が起きやすくなり地域の治安悪化が懸念されている。
【０００７】
そこで、本発明はこれらの課題を解決するために案出されたものであり、その目的は、アマチュアやプロの画家や写真家などが作品を創作するに際して必要な情報や宿泊・滞在施設を迅速かつ正確に提供できる新規な風景画創作支援システムおよび創作支援方法ならびに創作支援プログラムを提供するものである。
【課題を解決するための手段】
【０００８】
〔発明１〕前記課題を解決するための第１の発明は、ネットワークを介して相互に通信可能な情報提供サーバと検索クライアントとを備えたネットワーク通信システムであって、前記情報提供サーバは、多数の風景画または風景写真の画像データとその位置情報が記憶された風景画データベースと、多数の別荘とその位置情報ならびにその空き情報が記憶された別荘データベースと、前記クライアントの要求に応じて前記風景画データベースに記憶された風景画または風景写真を検索し、検索した風景画または風景写真の画像データおよびその位置情報を、その近傍にある別荘に関する情報およびその空き情報と共に提供する情報提供手段とを有し、前記検索クライアントは、前記風景画データベースに記憶された風景画または風景写真の中から所望の風景画または風景写真を検索する風景画検索手段と、前記情報提供サーバから送られてきた各情報を表示する情報表示手段とを備えたことを特徴とする風景画創作支援システムである。
【０００９】
このような構成によれば、画家や写真家などのユーザーは検索クライアントを用いて希望する条件の風景画または風景写真を検索するだけで、その風景画が創作された場所あるいはその風景写真が撮影された場所の位置情報と共に、その近くの空き別荘情報をも同時に得ることができる。これによって、風景画の創作あるいは風景の写真撮影を希望するユーザーはその作業に必要な情報や宿泊・滞在施設としての空き別荘情報を迅速かつ正確に提供できる。
【００１０】
この結果、空き別荘の所有者や管理側としては、活用されていない空き別荘をそれらユーザーの創作活動のための宿泊施設として提供することで有効活用できると共に、ユーザー側としては、その創作活動などに際してその場所の特定のみならずその宿泊施設の確保が容易になるため、労力や経費の節約にもなる。さらにその地元である地方自治体にとっては、空き別荘の増加による治安悪化の懸念が払拭されると共に、その風景画の創作活動などを通じて多くのアマチュア画家や観光客などが訪問してくれることで地域経済や観光の活性化も期待できる。
【００１１】
〔発明２〕第２の発明は、第１の発明において、前記検索クライアントの風景画検索手段は、検索する風景画または風景写真を作者別または地域別あるいは創作年または発表年別その他の区別ごとに検索可能であり、前記検索クライアントの情報表示手段は、前記風景画検索手段で検索された風景画または風景写真が複数あるときは各風景画または風景写真の画像データをサムネイル形式で一覧表示することを特徴とする風景画創作支援システムである。
【００１２】
このような構成によれば、希望する風景画または風景写真を概念的に検索できると共に、検索された風景画または風景写真が複数あるときは、その画像をサムネイル形式で一覧表示するため、目的の風景画または風景写真を探し易くなると共に、他の風景画または風景写真との比較、参照も効率的に行うことができる。
【００１３】
〔発明３〕第３の発明は、第２の発明において、前記検索クライアントの情報表示手段は、サムネイル形式で一覧表示されたサムネイル画像のいずれかが選択されたときは、そのサムネイル画像に対応する風景画または風景写真を表示すると共にその位置情報に基づいてその近くにある別荘を表示することを特徴とする風景画創作支援システムである。このような構成によれば、サムネイル形式で一覧表示されたサムネイル画像のいずれかをユーザーが選択（クリック）するだけで、そのサムネイル画像に対応する風景画または風景写真に関する位置情報やその近くにある別荘に関する情報をわかりやすく表示することができる。
【００１４】
〔発明４〕第４の発明は、第２の発明において、前記検索クライアントの情報表示手段は、サムネイル形式で一覧表示されたサムネイル画像のいずれかが選択されたときは、そのサムネイル画像に対応する風景画または風景写真の位置情報に基づいてその近くにある別荘の位置を地図上に表示することを特徴とする風景画創作支援システムである。このような構成によれば、サムネイル形式で一覧表示されたサムネイル画像のいずれかをユーザーが選択（クリック）するだけで、そのサムネイル画像に対応する風景画などが創作された場所の近くにある別荘を地図上に表示できるため、ユーザーはその創作場所と各別荘との位置関係や距離などを容易に把握できる。
【００１５】
〔発明５〕第５の発明は、第４の発明において、前記検索クライアントの情報表示手段は、地図上に表示された別荘のうちいずれかが選択されたときは、その別荘に関する情報を表示することを特徴とする風景画創作支援システムである。このような構成によれば、その別荘の位置や距離だけでなく、その別荘に関する情報も素早く把握することができる。
【００１６】
〔発明６〕第６の発明は、第１乃至５の発明において、前記検索クライアントは、検索した風景画または風景写真の画像データと共に送信された別荘の空き情報に基づいて別荘を利用予約する別荘予約手段を有し、前記情報提供サーバは、前記別荘予約手段による別荘の利用予約に基づいて前記別荘データベースの空き情報を更新するデータベース更新手段を備えたことを特徴とする風景画創作支援システムである。このような構成によれば、あるユーザーが所望の空き別荘が見つかったときには、そのシステム（画面）上で直ぐにその別荘の利用予約を行うことができると共に、その予約状況をすぐにその別荘管理者や他のユーザーなどに対して通知することができる。
【００１７】
〔発明７〕第７の発明は、第６の発明において、別荘の管理情報を提供する別荘管理サーバを有し、前記情報管理サーバのデータベース更新手段は、前記別荘管理サーバの管理情報に基づいて前記別荘データベースの情報を更新すると共に、前記別荘予約手段による利用予約情報を前記別荘管理サーバに送信することを特徴とする風景画創作支援システムである。このような構成によれば、その別荘の所有者や管理者などが別荘管理サーバにアクセスして空き別荘に関する情報を送信するだけで、情報管理サーバの別荘データベースがほぼ同時に更新されるため、最新の別荘に関する新鮮な情報を迅速にユーザーに提供できる。
【００１８】
〔発明８〕ネットワークを介して相互に通信可能な情報提供サーバと検索クライアントとを用いた風景画創作支援方法であって、前記情報提供サーバは、多数の風景画または風景写真の画像データとその位置情報を記憶する風景画情報記憶ステップと、多数の別荘とその位置情報ならびにその空き情報を記憶する別荘情報記憶ステップと、前記クライアントの要求に応じて前記風景画データベースに記憶された風景画または風景写真を検索し、検索した風景画または風景写真の画像データおよびその位置情報を、その近傍にある別荘に関する情報およびその空き情報と共に提供する情報提供ステップとを含み、前記検索クライアントは、前記風景画データベースに記憶された風景画または風景写真の中から所望の風景画または風景写真を検索する風景画検索ステップと、前記情報提供サーバから送られてきた各情報を表示する情報表示ステップとを含むことを特徴とする風景画創作支援方法である。このような方法によれば、第１の発明と同様な効果が得られる。
【００１９】
〔発明９〕第９の発明は、第８の発明において、前記検索クライアントの風景画検索ステップでは、検索する風景画または風景写真を作者別または地域別あるいは創作年または発表年別その他の区別ごとに検索可能であり、前記検索クライアントの情報表示ステップでは、前記風景画検索ステップで検索された風景画または風景写真が複数あるときは各風景画または風景写真の画像データをサムネイル形式で一覧表示することを特徴とする風景画創作支援方法である。このような方法によれば、第２の発明と同様な効果が得られる。
【００２０】
〔発明１０〕第１０の発明は、第９の発明において、前記検索クライアントの情報表示ステップは、サムネイル形式で一覧表示されたサムネイル画像のいずれかが選択されたときは、そのサムネイル画像に対応する風景画または風景写真を表示すると共にその位置情報に基づいてその近くにある別荘を表示することを特徴とする風景画創作支援方法である。このような方法によれば、第３の発明と同様な効果が得られる。
【００２１】
〔発明１１〕第１１の発明は、第９の発明において、前記検索クライアントの情報表示ステップは、サムネイル形式で一覧表示されたサムネイル画像のいずれかが選択されたときは、そのサムネイル画像に対応する風景画または風景写真の位置情報に基づいてその近くにある別荘の位置を地図上に表示することを特徴とする風景画創作支援方法である。このような方法によれば、第４の発明と同様な効果が得られる。
【００２２】
〔発明１２〕第１２の発明は、第９または第１０の発明において、前記検索クライアントの情報表示ステップは、表示された別荘のうちいずれかが選択されたときは、その別荘の空き情報を表示することを特徴とする風景画創作支援方法である。このような方法によれば、第５の発明と同様な効果が得られる。
【００２３】
〔発明１３〕第１３の発明は、第８乃至第１２の発明において、前記検索クライアントは、検索した風景画または風景写真の画像データと共に送信された別荘の空き情報に基づいて別荘を利用予約する別荘予約ステップを含み、前記情報提供サーバは、前記別荘予約ステップによる別荘の利用予約に基づいて前記別荘データベースの空き情報を更新するデータベース更新ステップを含むことを特徴とする風景画創作支援方法である。このような方法によれば、第６の発明と同様な効果が得られる。
【００２４】
〔発明１４〕第１４の発明は、第１３の発明において、別荘の管理情報を提供する別荘管理サーバを有し、前記情報管理サーバのデータベース更新ステップは、前記別荘管理サーバの管理情報に基づいて前記別荘データベースの情報を更新すると共に、前記別荘予約ステップによる利用予約情報を前記別荘管理サーバに送信することを特徴とする風景画創作支援方法である。このような方法によれば、第７の発明と同様な効果が得られる。
【００２５】
〔発明１５〕第１５の発明は、ネットワークを介して相互に通信可能な情報提供サーバと検索クライアントとを備えたネットワーク通信システムで用いるプログラムであって、前記情報提供サーバのコンピュータを、多数の風景画または風景写真の画像データとその位置情報が記憶された風景画データベースと、多数の別荘とその位置情報ならびにその空き情報が記憶された別荘データベースと、前記クライアントの要求に応じて前記風景画データベースに記憶された風景画または風景写真を検索し、検索した風景画または風景写真の画像データおよびその位置情報を、その近傍にある別荘に関する情報およびその空き情報と共に提供する情報提供手段として機能させ、前記検索クライアントのコンピュータを、前記風景画データベースに記憶された風景画または風景写真の中から所望の風景画または風景写真を検索する風景画検索手段と、前記情報提供サーバから送られてきた各情報を表示する情報表示手段として機能させることを特徴とする風景画創作支援プログラムである。このようなプログラムを用いれば、汎用のコンピュータおよびネットワークシステムを活用することで、第１の発明と同様な効果が得られる。
【００２６】
〔発明１６〕第１６の発明は、第１５の発明において、前記検索クライアントの風景画検索手段は、検索する風景画または風景写真を作者別または地域別あるいは創作年または発表年別その他の区別ごとに検索可能であり、前記検索クライアントの情報表示手段は、前記風景画検索手段で検索された風景画または風景写真が複数あるときは各風景画または風景写真の画像データをサムネイル形式で一覧表示することを特徴とする風景画創作支援プログラムである。このようなプログラムを用いれば、第２の発明と同様な効果が得られる。
【００２７】
〔発明１７〕第１７の発明は、第１６の発明において、前記検索クライアントの情報表示手段は、サムネイル形式で一覧表示されたサムネイル画像のいずれかが選択されたときは、そのサムネイル画像に対応する風景画または風景写真を表示すると共にその位置情報に基づいてその近くにある別荘を表示することを特徴とする風景画創作支援プログラムである。このようなプログラムを用いれば、第３の発明と同様な効果が得られる。
【００２８】
〔発明１８〕第１８の発明は、第１６の発明において、前記検索クライアントの情報表示手段は、サムネイル形式で一覧表示されたサムネイル画像のいずれかが選択されたときは、そのサムネイル画像に対応する風景画または風景写真の位置情報に基づいてその近くにある別荘の位置を地図上に表示することを特徴とする風景画創作支援プログラムである。このようなプログラムを用いれば、第４の発明と同様な効果が得られる。
【００２９】
〔発明１９〕第１９の発明は、第１７または第１８の発明において、前記検索クライアントの情報表示手段は、表示された別荘のうちいずれかが選択されたときは、その別荘の空き情報を表示することを特徴とする風景画創作支援プログラムである。このようなプログラムを用いれば、第５の発明と同様な効果が得られる。
【００３０】
〔発明２０〕第２０の発明は、第１５乃至第２０の発明において、前記検索クライアントは、検索した風景画または風景写真の画像データと共に送信された別荘の空き情報に基づいて別荘を利用予約する別荘予約手段を有し、前記情報提供サーバは、前記別荘予約手段による別荘の利用予約に基づいて前記別荘データベースの空き情報を更新するデータベース更新手段を備えたことを特徴とする風景画創作支援プログラムである。このようなプログラムを用いれば、第６の発明と同様な効果が得られる。
【００３１】
〔発明２１〕第２１の発明は、第２０の発明において、前記情報管理サーバのデータベース更新手段は、別荘の管理情報を提供する別荘管理サーバの管理情報に基づいて前記別荘データベースの情報を更新すると共に、前記別荘予約手段による利用予約情報を前記別荘管理サーバに送信することを特徴とする風景画創作支援プログラムである。このようなプログラムを用いれば、第７の発明と同様な効果が得られる。
【発明の効果】
【００３２】
本発明によれば、以下のような優れた効果を発揮する。
１．風景画や風景写真の創作のために必要な情報や宿泊施設として空き別荘に関する情報を迅速かつ正確に提供できる。
２．空き家となった別荘や通年利用されない別荘を風景画や風景写真の創作のための宿泊・滞在施設として有効活用できるため、別荘の維持・管理のコストを削減することができる。
３．空き別荘の増加による治安悪化の懸念が払拭されると共に、その風景画の創作活動などを通じて多くのアマチュア画家や観光客などが訪問してくれることで地域経済や観光の活性化が期待できる。
４．私淑する画家の作品や名画と同じ場所を正確に把握してその名画と同じ構図で作品を創作可能な機会を提供できる。
【図面の簡単な説明】
【００３３】
【図１】本発明に係る風景画創作支援システム１００の実施の一形態を示す全体構成図である。
【図２】検索クライアント４００および管理者クライアント５００のハードウェア構成図である。
【図３】別荘管理サーバ２００のハードウェア構成図である。
【図４】情報提供サーバ３００のハードウェア構成図である。
【図５】情報提供サーバ３００の機能ブロック図である。
【図６】検索クライアント４００の機能ブロック図である。
【図７】本発明に係る風景画創作支援システム１００による処理の流れを示すフローチャート図である。
【図８】本創作支援システム１００を運用する情報提供者が開設するウェブサイトのホームページ画面５００の一例を示した図である。
【図９】検索された風景画および風景写真に対応するサムネイル画像Ｓ１を一覧表示したウェブサイトの画面５６０を示す図である。
【図１０】選択したサムネイル画像Ｓ１に対応する風景画および風景写真を詳細表示したウェブサイトの画面５２０を示す図である。
【図１１】選択したサムネイル画像Ｓ１に対応する風景画および風景写真の創作地の地図を表示したウェブサイトの画面５３０を示す図である。
【図１２】創作地の近くにある別荘の位置を示す地図を表示したウェブサイトの画面５４０を示す図である。
【図１３】選択した別荘の空き情報などを表示したウェブサイトの画面５５０を示す図である。
【発明を実施するための形態】
【００３４】
次に、本発明の実施の形態を添付図面を参照しながら説明する。図１は本発明に係る風景画創作支援システム１００の実施の一形態を示す全体構成図である。図示するように、この創作支援システム１００は、別荘管理サーバ２００と、情報提供サーバ３００と、検索クライアント４００、管理者クライアント５００とをＬＡＮやインターネットなどのネットワークＮで相互に情報通信可能に接続した構成となっている。
【００３５】
このうち検索クライアント４００および管理者クライアント５００は、例えばパソコンやスマートフォンなどのような汎用の情報処理端末で構成されている。そして、そのハードウェア構成は図２に示すように演算装置（ＣＰＵ）４０１、主記憶装置（ＲＡＭ）４０２、クロック（ＣＬＣ）４０３、内部記憶装置（ＲＯＭ）４０４などの内部機器をバス４０５で接続すると共に、インタフェース（Ｉ／Ｆ）４０６を介してネットワークＮや入力装置（キーボードやマウスなど）４１０、表示装置（ディスプレイ）４２０、外部記憶装置（半導体記憶機器など）４３０、入出力表示装置（タッチパネルなど）４４０などの外部機器との間で情報が入出力可能に接続された構成となっている。
【００３６】
一方、別荘管理サーバ２００および情報提供サーバ３００のハードウェア構成は、図３および図４に示すように検索クライアント４００などと同様な内部機器（ＣＰＵ２４１、ＲＡＭ２４２、ＣＬＣ２４３、ＲＯＭ２４４、バス２４５）にインタフェース（Ｉ／Ｆ）２４６を介してネットワークＮや別荘データベース（ＤＢ）２１１、風景画データベース（ＤＢ）２１２などの外部記憶装置２４０、検索クライアント４００，管理者クライアント５００との間で情報が入出力可能に接続された構成となっている。
【００３７】
図５および図６は、情報提供サーバ３００および検索クライアント４００のハードウェアおよびソフトウェア（プログラム）で実現される各機能を示したブロック図である。先ず、情報提供サーバ３００は、図５に示すように情報検索処理部３１０（風景画検索処理部３３１、別荘検索処理部３３２）と、検索結果作成部３３３と、検索結果送信処理部３３４と、検索要求受信処理部３３５と、利用予約受信処理部３３６と、情報送受信処理部３３９と、別荘データベース（ＤＢ）２１１と、風景画データベース（ＤＢ）２１２とから主に構成されている。これら各部の機能については後述する。
【００３８】
一方、検索クライアント４００は、図６に示すように表示装置４２０および入力装置４１０の他に、検索結果受信処理部４５０と、サムネイル表示処理部４５１と、位置情報表示処理部４５２と、検索条件入力部４５４と、検索条件送信処理部４５３とから主に構成されている。これら各部の機能についても後述する。
【００３９】
図７はこのような構成および機能を有する本発明の風景画創作支援システム１００による主な処理の流れを示すフローチャートである。先ず、最初のステップＳ１００に示すように本支援システム１００は、検索クライアント４００から検索条件が入力されたなら次のステップＳ１０２に移行して情報提供サーバ３００がその検索条件に合致した風景画および風景写真を検索してそのサムネイル画像データを検索クライアント４００に送信する。そして、その検索結果を受信した検索クライアント４００はそのサムネイル画像を表示装置４２０上に一覧表示する。
【００４０】
この処理を具体的に説明すると、まずユーザーが本創作支援システム１００を用いてインターネットＮを介して所望の風景画または風景写真を探す際には、先ず検索クライアント４００側においてウェブブラウザなどのウェブ閲覧用のソフトウェアを起動して本創作支援システム１００を運用する情報提供者の専用サイトにアクセスし、キーボードなどの入力装置４１０を用いてその検索窓にキーワードを入力する。
【００４１】
図８は、本創作支援システム１００を運用する情報提供者が開設するウェブサイトのホームページ画面５００の一例を示したものである。図の例ではサイト名が「別荘アトリエ．ｃｏｍ」となっており、そのトップページ（ホームページ）には、検索キーワードを入力するための検索窓５０１と、検索する風景画や風景写真を作者別、地域別、創作または発表年代別に検索可能な３つの検索リンクボタン５０２、５０３、５０４が設定されている。そして図はキーボードを用いてその検索窓５０１に「乗鞍岳」というキーワードを入力し、マウスポインター５０６を検索実行リンクボタン５０５上に移動してクリックする状態を示している。
【００４２】
図９は、このように検索キーワードとして「乗鞍岳」と入力して検索実行した後の検索結果を示した画面例であり、検索結果として「乗鞍岳」に関連する複数の風景画あるいは風景写真がサムネイル形式で一覧表示された例を示したものである。この一連の処理の流れを図５および図６を用いて説明する。先ず、図６に示すようにユーザーが検索クライアント４００の入力装置４１０を用いて検索条件入力部４５４に検索キーワードを入力すると、検索条件送信処理部４５３がその検索キーワードをネットワークＮを介して情報提供サーバ３００に送信する。
【００４３】
情報提供サーバ３００は図５に示すように検索要求受信処理部３３５がその検索キーワードを受信処理して検索処理部３１０に送り、その風景画検索処理部３３１が風景画データベース２１２にアクセスしてその検索キーワードに合致する風景画または風景写真をその風景画データベース２１２から検索してその風景画に対応するサムネイル画像データを抽出してこれを検索結果作成部３３３に送信する。検索結果作成部３３３は、そのようにして抽出された複数のサムネイル画像データを検索結果として作成し、検索結果送信処理部３３４がそれらのサムネイル画像データをネットワークＮを介して検索クライアント４００へ送信する。
【００４４】
ここで、風景画データベース２１２には、各キーワード毎に分類された多数の風景画データおよび風景写真データがその位置情報と共に記憶されており、これらの各データはこのシステム１００の管理者権限を有する者が適宜アクセスしてその情報の追加・更新が可能となっている。また、この風景画データベース２１２には各風景画および風景写真ごとに記録容量の小さい（数キロバイト程度）サムネイル画像も記憶されており、最初の検索要求ではそのサムネイル画像のみが検索結果として送信処理される。
【００４５】
そして、検索要求を出した検索クライアント４００は、図６に示すようにその検索結果受信処理部４５０が情報提供サーバ３００からその検索結果を受信した後、サムネイル表示処理部４５１が受信したそのサムネイル画像を例えばその優先度の高い順から図９に示すように一覧表示する。これによって、ユーザーはその画面をざっと見るだけで目的の風景画または風景写真を探し易くなると共に、他の風景画または風景写真との比較、参照も効率的に行うことができる。
【００４６】
次に、図７のフローに戻り、ステップＳ１０４で検索結果をサムネイル形式で一覧表示したならば、次のステップＳ１０６に移行して一覧表示されたサムネイル画像のいずれかがユーザーによって選択されたか否かを判断し、選択されたとき（ＹＥＳ）は、次のステップＳ１０８に移行してその選択されたサムネイル画像に対応する詳細情報を表示する。これに対し、いずれも選択されないとき（ＮＯ）は、ステップＳ１１０にジャンプして画面を戻る選択をしたか否かを判断し、戻るが選択されたとき（ＹＥＳ）は、最初のステップＳ１００に戻り、所定時間が経っても戻るが選択されないとき（ＮＯ）は、処理を終了する。
【００４７】
この処理の流れを具体的に説明すると、図９に示すように一覧表示されたサムネイル画像のうちのいずれか１つのサムネイル画像Ｓ１が選択（クリック）されたならば、図１０に示すようにその選択（クリック）されたサムネイル画像Ｓ１に関連付けられた詳細情報を表示する画面に遷移する。図１０の例では、画面左側にそのサムネイル画像Ｓ１に対応する風景画または風景写真Ｄが表示されると共にその右側にはその創作者、創作年月日、その風景画または風景写真Ｄが創作または撮影された場所の位置情報（北緯、東経）などの詳細な情報が表示される。さらに、図の例では、その位置を示す地図リンクボタン５０７と、空き別荘情報リンクボタン５０８が表示されている。
【００４８】
これによって、ユーザーは選択したサムネイル画像Ｓ１に対応する風景画または風景写真Ｄのより詳細な画像と共に、その位置情報などの詳細な情報を容易に知ることができる。また、この画面にはその風景画または風景写真Ｄの販売希望価格と購入リンクボタン５０９および戻るリンクボタン５７０も表示されているため、その風景画または風景写真Ｄが購入可能であること、および実際に購入する場合にはその購入リンクボタン５０９をクリックすればこれとリンクした購入手続画面（図示せず）に遷移するため、その風景画または風景写真Ｄを簡単に入手することもできる。また、さらに表示された詳細情報をみた結果、興味がなければ戻るリンクボタン５７０をクリックすることで直前の画面（図９）に簡単に戻ることができる。
【００４９】
また、図１０に示す画面から地図リンクボタン５０７を選択（クリック）すると、図１１に示すような地図情報を示す画面に遷移し、その創作地を示す具体的な位置を示す地図が表示される。図の例では、画面左側に日本地図５１０が表示されてその位置が大まかに表示されると共に、画面右側にその拡大地図５１１が表示されている。そして、その拡大地図５１１のなかで逆三角形で示した位置が、その風景画または風景写真Ｄの創作地を示している。
【００５０】
さらに、図１０に示す画面から空き別荘情報リンクボタン５０８を選択（クリック）すると、図１２に示すような別荘情報を示す画面に遷移し、その創作地の近くにある利用可能な別荘がその位置と共にその地図上に重ねて表示される。図の例では、創作地の近くにある利用可能ないくつかの別荘がそれぞれ▲印で示されており、マウスポインタ５０６を重ねるとその▲印の色などが変化（△）してアクティブ状態になって、さらにそれをクリックするとその別荘の情報画面に遷移するようにリンクしている。例えば図に示すように創作地に最も近い▲印をクリックすると、図１３に示すような空き別荘情報画面に遷移する。
【００５１】
図１３の例では、画面の左側にその空き別荘の外観図（写真）５１２が掲載されると共に、その画面右側にはその別荘名、賃貸料、住所、所有者、管理者などの詳細情報が表示されている。さらに、この画面には間取りリンクボタン５１３、空き状況リンクボタン５１４、予約リンクボタン５１５が設けられており、興味のあるユーザーはその間取りリンクボタン５１３をクリックすれば、その別荘の間取りを表示した画面に遷移するため、外観写真だけでは分からない詳細な間取り情報も簡単に知ることもできる。さらに、その隣りの空き状況リンクボタン５１４をクリックすれば、予約状況がカレンダー式または表形式で表示されて一目で分かる画面に遷移するため、そのユーザーが希望する日が空いている場合には、そのままその隣りにある予約リンクボタン５１５をクリックすれば予約手続画面に遷移するため、その予約手続をそのままネット上で行うことができる。
【００５２】
この一連の処理を図５および図６で説明する。図９に示したようにいずれかのサムネイル画像Ｓ１が選択されたならば、検索クライアント４００は、その検索要求を情報提供サーバ３００に送信する。検索要求を受信した情報提供サーバ３００の風景画検索処理部３３１は、風景画データベース２１２にアクセスしてそのサムネイル画像Ｓ１に対応する画像データと位置情報などを風景画データベース２１２から抽出して検索クライアント４００に送信する。そして、これらのデータを受信した検索クライアント４００は、図１０に示すようにその情報を画像や文字情報としてウェブプラウザの画面５２０上に表示する。
【００５３】
この画面５２０上でさらに地図リンクボタン５０７がクリックされると、その検索要求が情報提供サーバ３００に送られ、その別荘検索処理部３３２が別荘データベース２１１にアクセスしてその位置情報に基づいてその創作地を示す地図データを抽出して検索クライアント４００に送信する。そして、これを受信した検索クライアント４００はその創作地を図１１に示すように地図と共にウェブプラウザの画面５３０上に表示する。
【００５４】
また、この画面５２０上で空き別荘情報リンクボタン５０８がクリックされると、その検索要求が情報提供サーバ３００に送られ、その別荘検索処理部３３２が別荘データベース２１１にアクセスしてその位置情報に基づいてその創作地を示す地図データとその創作地近傍にある別荘の位置情報を抽出して検索クライアント４００に送信する。そして、これを受信した検索クライアント４００はその別荘の位置を図１２に示すように地図と共にウェブブラウザの画面５３０上に表示する。
【００５５】
さらに、この図１２に示すいずれかの別荘を示す△印がクリックされると、その検索要求が情報提供サーバ３００に送られ、その別荘検索処理部３３２が別荘データベース２１１にアクセスしてその別荘の画像や詳細情報を抽出して検索クライアント４００に送信し、その検索クライアント４００はその別荘に関する詳細な情報を図１３に示すようにその画像と共にウェブブラウザの画面上に表示する。
【００５６】
また、この図１３に示す空き状況リンクボタン５１４、予約リンクボタン５１５がクリックされると、その都度それらの検索要求が情報提供サーバ３００に送られ、その利用予約受信処理部３３６が別荘データベース２１１にアクセスしてその空き状況を情報提供サーバ３００に送信すると共に、その別荘の予約が別荘データベース２１１に記録されてその空き状況に関する情報が更新される。
【００５７】
この別荘データベース２１１には、前述したように別荘に関する様々な情報が記録されていると共に、その記録情報は情報送受信処理部３３９を介して別荘管理サーバ２００との間で相互に送受信可能となっている。従って、この別荘データベース２１１の予約状況は、図１に示すようにネットワークＮで接続された別荘管理サーバ２００に随時送られて記録されると共に、各別荘の管理者、例えばその別荘の所有者やその地元の不動産会社の担当者などが管理者クライアント５００を介してこの別荘管理サーバ２００にアクセスして自己が管理する別荘の登録やその情報の更新をその別荘管理サーバ２００に対して行うことで直ちにその情報が別荘データベース２１１に反映される。これによって、別荘の管理者は予約があったことを直ぐに知ることができると共に、この別荘データベース２１１には常に最新の別荘情報が記録、蓄積されるため、信頼性の高い情報を効率的にユーザーに提供できる。
【００５８】
このように本発明の風景画創作支援システム１００は、風景画または風景写真とそれらが創作された場所の位置情報とその近くにある空き別荘に関する情報をリンクして提供することによって、風景画や風景写真の創作活動に必要な情報や宿泊施設となる空き別荘情報を迅速かつ安価に提供することができる。
【００５９】
また、空き家となった別荘や通年利用されない別荘を風景画や風景写真の創作活動のための宿泊・滞在施設として有効活用できるため、別荘の維持・管理のコストを削減することができる。さらに、空き別荘の増加による治安悪化の懸念が払拭されると共に、その風景画の創作活動などを通じて多くのアマチュア画家や観光客などが訪問してくれることで地域経済や観光の活性化が期待できる。また、私淑する画家の作品や名画と同じ場所を正確に把握してその名画と同じ構図で作品を創作可能な機会を提供できる。さらに、図１０に示すようにその風景画や風景写真をサイトで紹介することにより、その作品をネット販売することも可能となるため、宣伝や販売手段に乏しいアマチュアやプロの画家、写真家を経済的に支援することができる。
【００６０】
また、本発明システムは、サーバやパソコン、スマートフォンなどの汎用のコンピュータシステム（ハードウェア）と、インターネットやＬＡＮなどの既存のネットワークシステムを用いることができるため、これを利用したソフトウェア（コンピュータプログラム）を開発、提供するだけで比較的容易に実現できる。なお、本実施の形態では、風景画を創作する画家や風景写真を撮影することを目的とする写真家などだけでなく、単にその風景画や風景写真と同じ実際の風景を見てみたいという観光客などに対しても同様に有益な情報を効率的に提供することができる。また、本実施の形態では、宿泊施設として空き別荘の例で示したが、民宿やホテルなどの既存の宿泊施設に関する情報やその創作地近くの病院や商店、コンビニなどに関する情報などを付加して提供するようにしても良い。
【符号の説明】
【００６１】
１００…風景画創作支援システム
２００…別荘管理サーバ
２１１…別荘データベース
２１２…風景画データベース
３００…情報提供サーバ
３１０…検索処理部（情報提供手段）
３３６…利用予約受信処理部（データベース更新手段）
３３９…情報送受信処理部（データベース更新手段）
４００…検索クライアント
４５１…サムネイル表示処理部（情報表示手段）（別荘予約手段）
４５２…位置情報表示処理部（情報表示手段）（別荘予約手段）
４５４…検索条件入力部（風景画検索手段）（別荘予約手段）
５００…管理者クライアント
Ｄ…風景画または風景写真
Ｎ…ネットワーク
Ｓ１…サムネイル画像
【図１】
2017134714.tif 000003
【図２】
2017134714.tif 000004
【図３】
2017134714.tif 000005
【図４】
2017134714.tif 000006
【図５】
2017134714.tif 000007
【図６】
2017134714.tif 000008
【図７】
2017134714.tif 000009
【図８】
2017134714.tif 000010
【図９】
2017134714.tif 000011
【図１０】
2017134714.tif 000012
【図１１】
2017134714.tif 000013
【図１２】
2017134714.tif 000014
【図１３】
2017134714.tif 000015